(57)【要約】      （修正有）【課題】雷の発生を確実に検出することのできる雷サージ電流検出装置を提供する。【解決手段】雷サージ電流検出装置を、［１］雷サージ電流検出用電線を流れる電流を検出してその電流値Ｉを出力する電流検出回路と、［２］電流値Ｉと閾値Ｉ１とを比較し、電流値Ｉが閾値Ｉ１に達すると、雷サージ電流を検出している可能性があるとして予備判定信号を出力する予備判定回路と、［３］予備判定信号が入力されてから時間Ｔ１が経過した瞬間の電流値Ｉを正式判定用の電流値Ｉ’として出力するサンプリング回路と、［４］電流値Ｉ’と閾値Ｉ２（ただし、Ｉ２＞Ｉ１とする。）を比較し、電流値Ｉ’が閾値Ｉ２以上である場合に雷の発生を検出したと判定して正式判定信号を出力する正式判定回路と、を備えたものとする。【選択図】図１
2012026826.tif 000002
【特許請求の範囲】
【請求項１】
雷サージ電流検出用電線を流れる電流を検出してその電流値Ｉを出力する電流検出回路と、
電流値Ｉが入力され、電流値Ｉと閾値Ｉ１とを比較し、電流値Ｉが閾値Ｉ１に達すると、雷サージ電流を検出している可能性があるとして予備判定信号を出力する予備判定回路と、
電流値Ｉ及び予備判定信号が入力され、予備判定信号が入力されてから時間Ｔ１が経過した瞬間の電流値Ｉを正式判定用の電流値Ｉ’として出力するサンプリング回路と、
電流値Ｉ’が入力され、電流値Ｉ’と閾値Ｉ２（ただし、Ｉ２＞Ｉ１とする。）とを比較し、電流値Ｉ’が閾値Ｉ２以上である場合に雷サージ電流を検出したと判定して正式判定信号を出力する正式判定回路と、
を備えたことを特徴とする雷サージ電流検出装置。
【請求項２】
正式判定回路から正式判定信号が入力され、正式判定回路から正式判定信号が入力された時刻を含む雷サージ電流検出情報を記録する記録回路を設けた雷サージ電流検出装置。
【請求項３】
通常時には、サンプリング回路及び／又はサンプリング回路よりも後段の回路に電力が供給されず、予備判定回路が予備判定信号を出力した瞬間から時間Ｔ２が経過するまでの間にのみ、サンプリング回路及び／又はサンプリング回路よりも後段の回路に電力が供給される請求項１又は２記載の雷サージ電流検出装置。
【請求項４】
電流検出回路、予備判定回路及びサンプリング回路で構成される第一回路群がアナログ回路により形成されるとともに、
正式判定回路、又は正式判定回路及び記録回路で構成される第二回路群がデジタル回路により形成され、
サンプリング回路から出力された電流値Ｉ’をアナログ信号からデジタル信号へ変換するための信号変換回路が、サンプリング回路と正式判定回路との間に設けられた請求項１〜３いずれか記載の雷サージ電流検出装置。
【請求項５】
第一回路群が内蔵された本体と、本体から着脱可能で第二回路群が内蔵された着脱ユニットとで構成され、
着脱ユニットには、着脱ユニットを外部機器に接続して記録回路に記録された雷サージ電流検出情報を外部機器に有線送信するためのコネクタが設けられた請求項４記載の雷サージ電流検出装置。
【請求項６】
外部機器からデータ送信要求信号が無線で入力されると記録回路に記録された雷サージ電流検出情報を外部機器へ無線送信するための無線送信回路をさらに備えた請求項２〜５いずれか記載の雷サージ電流検出装置。
【発明の詳細な説明】
【技術分野】
【０００１】
本発明は、雷サージ電流を検出するための雷サージ電流検出装置に関する。
【背景技術】
【０００２】
無線中継局などの無人施設では、避雷器の必要性を探るためなどに、雷サージ電流を検出する雷サージ電流検出装置を設け、雷サージ電流の検出頻度や、その際に流れる雷サージ電流を解析することが行われている。雷サージ電流を検出するための雷サージ電流検出装置は、これまでに種々のものが提案されている。例えば、検出した電流値が特定の閾値を超えた回数を雷の発生回数としてカウントする閾値比較型の雷サージ電流検出装置（例えば、特許文献１，２）や、検出した電流の最大値をピークホールド回路により記録するようにしたピークホールド型の雷サージ電流検出装置（例えば、特許文献３〜７）などが知られている。
【０００３】
しかし、これら従来の雷サージ電流検出装置では、雷サージ電流、特に誘導雷による雷サージ電流の発生を高い精度で検出することは困難であった。というのも、雷サージ電流検出装置を高電圧電線の近くに設置したような場合には、高圧電線を流れる電流によるノイズが発生するが、従来の閾値比較型やピークホールド型の雷サージ電流検出装置では、このようなノイズを除外することができないからである。また、従来の雷サージ電流検出装置は、誘導雷による雷サージ電流の検出に適したものとなっていない。というのも、誘導雷により発生する雷サージ電流は、直撃雷により発生する雷サージ電流よりも高速波形を描いて時間変化するが、従来の雷サージ電流検出装置では、その高速波形を捉えることができないからである。
【先行技術文献】
【特許文献】
【０００４】
【特許文献１】実公平０７−０４４２２０号公報
【特許文献２】特開２００１−３４９９０８号公報
【特許文献３】特公平０７−００７０２１号公報
【特許文献４】実公平０７−０４２１４４号公報
【特許文献５】特開平０５−０２９０６０号公報
【特許文献６】特開２０００−２１４２０４号公報
【特許文献７】特開２００６−２７５８４５号公報
【発明の概要】
【発明が解決しようとする課題】
【０００５】
本発明は、上記課題を解決するためになされたものであり、ノイズを排除して、雷サージ電流をより確実に検出することが可能な雷サージ電流検出装置を提供するものである。特に、高速波形を描いて時間変化する誘導雷による雷サージ電流を捉えることが可能で、誘導雷による雷サージ電流の検出に適した雷サージ電流検出装置を提供することを目的とする。
【課題を解決するための手段】
【０００６】
上記課題は、［１］雷サージ電流検出用電線を流れる電流を検出してその電流値Ｉを出力する電流検出回路と、［２］電流値Ｉが入力され、電流値Ｉと閾値Ｉ１とを比較し、電流値Ｉが閾値Ｉ１に達すると、雷サージ電流を検出している可能性があるとして予備判定信号を出力する予備判定回路と、［３］電流値Ｉ及び予備判定信号が入力され、予備判定信号が入力されてから時間Ｔ１が経過した瞬間の電流値Ｉを正式判定用の電流値Ｉ’として出力するサンプリング回路と、［４］電流値Ｉ’が入力され、電流値Ｉ’と閾値Ｉ２（ただし、Ｉ２＞Ｉ１とする。）を比較し、電流値Ｉ’が閾値Ｉ２以上である場合に雷サージ電流を検出したと判定して正式判定信号を出力する正式判定回路と、を備えたことを特徴とする雷サージ電流検出装置を提供することによって解決される。このように、異なるタイミングで２段階の判定を行うことにより、ノイズを排除して、誘導雷による雷サージ電流をより確実に検出することが可能になる。誘導雷による雷サージ電流は、時間Ｔ１を８μｓ程度とすることにより検出することができる。
【０００７】
本発明の雷サージ電流検出装置に電力を供給する電源には、外部電源を使用してもよいが、電池などの内部電源を使用すると好ましい。これにより、雷サージ電流検出装置を様々な場所へ設置することが可能になる。この場合、通常時（予備判定回路が予備判定信号を出力していない時）には、サンプリング回路及び／又はサンプリング回路よりも後段の回路に電力が供給されず、予備判定回路が予備判定信号を出力した瞬間から所定の時間Ｔ２が経過するまでの間にのみ、サンプリング回路及び／又はサンプリング回路よりも後段の回路に電力が供給されるようにすると好ましい。これにより、雷サージ電流検出装置の消費電力を抑え、電池の消耗を抑えることが可能になる。ここで、「回路に電力が供給されず」とは、対象となっている回路への電力供給を完全に停止する場合だけでなく、対象となっている回路を省電力モード（回路に供給する電力を、その回路が通常動作を行うのに必要な電力よりも少なく抑えてスタンバイ状態とすること。）にする場合をも含むものとする。対象となっている回路がＣＰＵを用いたデジタル回路である場合には、上記の省電力モードを容易に実現することができる。
【０００８】
また、本発明の雷サージ電流検出装置においては、正式判定回路から正式判定信号が入力され、正式判定回路から正式判定信号が出力された時刻（雷サージ電流検出時刻。「時刻」は日付を含む概念であるとする。）を含む雷サージ電流検出情報を記録する記録回路をさらに設けると好ましい。このように、雷サージ電流検出装置を記録回路付きのもの（雷サージ電流検出記録装置）とすることにより、記録回路に記録された雷サージ電流検出情報などのデータを後から他の解析することなどが可能になる。雷サージ電流検出情報には、電流値Ｉ’の値も含めるようにすると好ましい。これにより、さらに詳細な解析を行うことが可能になる。雷サージ電流検出情報には、雷サージ電流を検出した回数（雷サージ電流検出回数）など、他の情報も含めることができる。
【０００９】
さらに、本発明の雷サージ電流検出装置においては、電流検出回路、予備判定回路及びサンプリング回路で構成される第一回路群をアナログ回路により形成するとともに、正式判定回路及び記録回路で構成される第二回路群をデジタル回路により形成し、サンプリング回路から出力された電流値Ｉ’をアナログ信号からデジタル信号へ変換するための信号変換回路を、サンプリング回路と正式判定回路との間に設けることも好ましい。これにより、雷サージ電流検出装置を、応答性に優れたものとするだけでなく、他の外部機器（デジタル機器）とのやり取りを行いやすいものとすることが可能になる。
【００１０】
さらにまた、本発明の雷サージ電流検出装置は、本体と、本体から着脱可能な着脱ユニットとで構成することも好ましい。具体的には、第一回路群が内蔵された本体と、本体から着脱可能で第二回路群が内蔵された着脱ユニットとで構成すると好ましい。このとき、着脱ユニットには、着脱ユニットを外部機器に接続して記録回路に記録された雷サージ電流検出情報を外部機器に有線送信するためのコネクタを設けると好ましい。これにより、記録回路が内蔵された着脱ユニットをメモリスティック（例えば、ＵＳＢメモリスティック）として取り扱うことも可能になる。
【００１１】
そしてまた、本発明の雷サージ電流検出装置においては、外部機器からデータ送信要求信号が無線で入力されると記録回路に記録された雷サージ電流検出情報を外部機器へ無線送信するための無線送信回路をさらに備えることも好ましい。これにより、雷サージ電流検出装置が設置された場所まで足を運ばなくても、記録回路に記録された雷サージ電流検出情報を収集することが可能になる。
【発明の効果】
【００１２】
以上のように、本発明によって、ノイズを排除して、雷サージ電流をより確実に検出することが可能になる。また、高速波形を描いて時間変化する誘導雷による雷サージ電流を捉え、誘導雷による雷サージ電流の検出に適した雷サージ電流検出装置を提供することも可能になる。
【図面の簡単な説明】
【００１３】
【図１】本発明の雷サージ電流検出装置を示したブロック図である。
【図２】誘導雷に起因して雷サージ電流検出用電線を流れる雷サージ電流の時間変化を示したグラフである。
【発明を実施するための形態】
【００１４】
１．雷サージ電流検出装置の概要
本発明の雷サージ電流検出装置の好適な実施態様について、図面を用いてより具体的に説明する。図１は、本発明の雷サージ電流検出装置を示したブロック図である。図１の各回路間における矢印上には、図示の便宜上、本発明の雷サージ電流検出装置の説明に最低限必要な信号やデータのみを記載している。したがって、各回路間でやり取りされる信号やデータは、図示したものに限定されない。各回路間でやり取りする信号やデータの種類は、各回路で実行する処理に応じて適宜増やすことができる。
【００１５】
本実施態様の雷サージ電流検出装置は、図１に示すように、本体と着脱ユニットとで構成されている。着脱ユニットは、本体から着脱可能となっている。着脱ユニットの着脱構造は、特に限定されない。コネクタにケーブルを装着するだけの構造や、本体側に設けられたソケットに着脱ユニット自体を装着する構造などが挙げられる。この雷サージ電流検出装置は、直撃雷ではなく、誘導雷による雷サージ電流を検出することを目的としたものとなっている。本実施態様の雷サージ電流検出装置は、各種の電子機器の周辺に設けることができる。例えば、無線中継局などにおける受信装置や送信装置の周辺に設けるものとして好適である。
【００１６】
本実施態様の雷サージ電流検出装置は、図１に示すように、その本体には、電流検出回路と、予備判定回路と、サンプリング回路とが設けられており、その着脱ユニットには、信号変換回路と、正式判定回路と、処理回路と、記録回路と、設定回路と、表示回路とが設けられている。このうち、本体側に設けられた各回路、すなわち電流検出回路と予備判定回路とサンプリング回路は、アナログ回路によって形成している。本実施態様の雷サージ電流検出装置では、後述するように、非常に短時間での処理（短時間でのセンシング）が求められるが、このように本体側の回路をアナログ回路で形成することにより、短時間でのセンシングを行うことが可能となっている。
【００１７】
一方、着脱ユニット側に設けられた各回路のうち少なくとも正式判定回路と処理回路と記録回路は、デジタル回路によって形成している。本実施態様の雷サージ電流検出装置においては、このデジタル回路を、マイコンなどのプログラマブルコンピュータによってソフト的に実現している。アナログ回路で形成されたサンプリング回路と、デジタル回路で形成された正式判定回路との間でやり取りされる電流値Ｉ’は、図１に示すように、サンプリング回路と正式判定回路の間に設けられた信号変換回路で、アナログ信号からデジタル信号へと変換されるようになっている。本実施態様の雷サージ電流検出装置は、後述するように、その着脱ユニットがパソコンなどの外部機器に接続されるが、このように着脱ユニット側の回路をデジタル回路によって形成することにより、外部機器とのやりとりを行いやすくすることが可能である。また、正式判定回路は、後述するように、閾値Ｉ２などのパラメータを保持しているが、これらのパラメータを変更することが可能になるなど、雷サージ電流検出装置を設置する場所などに応じた設定変更を容易に行うこともできるようになる。
【００１８】
２．電流検出回路
電流検出回路は、図１に示すように、雷サージ電流検出用電線を流れる電流を検出してその電流値Ｉを後段の予備判定回路と、サンプリング回路へと出力するものとなっている。電流検出回路には、電流の発生及びその電流値Ｉを検出するための電流センサが接続される。電流センサは、従来から使用されている各種のものを使用することができるが、通常、雷サージ電流検出用電線と電気的に接続しなくても雷サージ電流検出用電線を流れる電流を検出することのできる非接触型のものが採用される。非接触型の電流センサとしては、導線を巻いたコイルの内側に雷サージ電流検出用電線を通し、雷サージ電流検出用電線に電流が流れた際に発生する磁界を前記コイルで検出するコイル型交流電流センサなどが挙げられる。電流センサが検出した電流値Ｉは、図示省略の整流回路（通常、電流センサと電流検出回路の間に設けられるか、電流検出回路に内蔵される。）によって直流へと変換される。
【００１９】
電流センサを取り付ける雷サージ電流検出用電線は、特に限定されない。誘導雷が発生した際に電流（雷サージ電流）が流れる各種の電線を雷サージ電流検出用電線として選択することができる。通常は、電子機器をアースするためのアース線が雷サージ電流検出用電線として選択されるが、これ以外にも、電子機器に電力を供給するための電力線や、電子機器に各種信号を送受信するための通信線を、雷サージ電流検出用電線として選択することもできる。アース線を雷サージ電流検出用電線とする場合には、アース線にギャップ式避雷器などの避雷器を介在させ、アース線におけるギャップ式避雷器よりも接地側に電流センサを取り付けることも好ましい。これにより、アース線にノイズが乗りにくくして、雷サージ電流の検出精度を高めることができる。しかし、本実施態様の雷サージ電流検出装置は、後述する予備判定回路やサンプリング回路や正式判定回路によって高い精度で雷サージ電流を検出することができ、雷サージ電流検出用電線にノイズが発生してもそのノイズを高い精度で排除することが可能であるため、必ずしも避雷器を使用する必要はない。
【００２０】
３．予備判定回路
予備判定回路は、図１に示すように、閾値Ｉ１を保持している。この予備判定回路は、電流検出回路から入力された電流値Ｉと閾値Ｉ１とを比較し、電流値Ｉが閾値Ｉ１に達すると、後段のサンプリング回路へと予備判定信号を出力するようになっている。この予備判定信号は、誘導雷による雷サージ電流を検出している可能性（雷サージ電流検出用電線に誘導雷に起因する雷サージ電流が流れている可能性）があるとして、後段の各回路において、さらに高い精度の判定を開始するためのものとなっている。
【００２１】
閾値Ｉ１をどの程度に設定するのかは、電流センサの出力特性（入力電流（雷サージ電流検出用電線を流れる電流値）と電流センサの出力電流（電流値Ｉ）との関係）によっても異なり、特に限定されない。しかし、閾値Ｉ１を低くしすぎると、予備判定回路が頻繁に予備判定信号を出力するようになるおそれがある。このため、閾値Ｉ１（入力電流（雷サージ電流検出用電線を流れる電流値）換算。以下同じ。）は、通常、４Ａ以上とされる。
【００２２】
４．サンプリング回路
サンプリング回路には、図１に示すように、電流検出回路から電流値Ｉが入力され、予備判定回路からは予備判定信号が入力される。このサンプリング回路は、予備判定信号が入力されてから時間Ｔ１が経過した瞬間の電流値Ｉを正式判定用の電流値Ｉ’としてサンプリングし、電流値Ｉ’を後段の回路へと出力するものとなっている。時間Ｔ１の計測は、制御分野などで用いられる各種タイマー機器や、各種コントローラのタイマー機能などを利用することも考えられるが、後述するように、時間Ｔ１は、数μｓオーダーの非常に短い時間であるため、これらの方法で時間Ｔ１を高精度で計測することは困難である。また、雷サージ電流検出装置のコストが高くなるだけでなく、雷サージ電流検出装置の小型化が困難になるおそれもある。このため、本実施態様の雷サージ電流検出装置においては、所定時間幅のワンショットパルスを発生させるワンショットパルス発生回路をサンプリング回路に組み込むことにより、時間Ｔ１の計測を行っている。
【００２３】
予備判定信号が入力されてから電流値Ｉ’のサンプリングを行うまでの時間Ｔ１は、誘導雷に起因して雷サージ電流検出用電線を流れる雷サージ電流の特性を考慮して決定する。誘導雷による雷サージ電流は、一般的に、図２に示すような波形を描く。図２は、誘導雷に起因して雷サージ電流検出用電線を流れる雷サージ電流の時間変化を示したグラフである。誘導雷による雷サージ電流の波形は、学会や業界において、「８／２０μｓの波形」で標準化されている。「８／２０μｓの波形」とは、図２における規約波頭長Ｔｆが８μｓで、規約波尾長Ｔｔが２０μｓの波形のことである。ここで、規約波頭長Ｔｆは、雷サージ電流の立上り時間をいい、規約波尾長Ｔｔとは、雷サージ電流が電流波高値ＣＦの半分に低下するまでの時間をいう。したがって、本実施態様の雷サージ電流検出装置のように誘導雷による雷サージ電流の検出を行う場合には、電流波高値ＣＦを電流値Ｉ’としてサンプリングするようにすると、誘導雷による雷サージ電流を高精度で検出することが可能になる。すなわち、時間Ｔ１を規約波頭長Ｔｆに一致させると好ましい。具体的には、時間Ｔ１を、８μｓ±３０％とすると好ましく、８μｓ±２０％とするとより好ましく、８μｓ±１０％とするとさらに好ましい。本実施態様の雷サージ電流検出装置においては、時間Ｔ１を８μｓとしている。
【００２４】
ところで、本実施態様の雷サージ電流検出装置においては、電流検出回路と予備判定回路には、図示省略の電源から電力が常時供給されているものの、サンプリング回路と、サンプリング回路よりも後段の回路（信号変換回路、正式判定回路、記録回路、設定回路及び表示回路）には、予備判定回路が予備判定信号を出力していない通常時には、電力が遮断されて供給されないようになっている。サンプリング回路と、サンプリング回路よりも後段の回路は、予備判定回路が予備判定信号を出力した瞬間から時間Ｔ２が経過するまでの間にのみ、電力が供給される。これにより、雷サージ電流検出装置の消費電力を大幅に削減することが可能になる。この構成は、電源として電池を使用する場合に好適である。
【００２５】
上記の構成は、サンプリング回路と、サンプリング回路よりも後段の回路への電力の供給を制御する電力制御回路（図示省略）を設け、電力制御回路に予備判定回路からの予備判定信号を入力するようにすることで実現することができる。この場合、電力制御回路をアナログ回路で形成すれば、サンプリング回路と、サンプリング回路よりも後段の回路への電力供給を非常に短時間で開始することができる。時間Ｔ２は、サンプリング回路よりも後段の回路（信号変換回路、正式判定回路、記録回路、設定回路及び表示回路）が処理を終えることができる長さであれば特に限定されないが、長くしすぎると、上述した消費電力の削減効果が低減する。以上のことを考慮して、時間Ｔ２は、通常、１００ｍｓ〜１ｓとされる。時間Ｔ２の計測は、時間Ｔ１と同様のワンショットパルス発生回路を設けることなどにより、行うことができる。
【００２６】
５．信号変換回路
信号変換回路は、図１に示すように、サンプリング回路から出力された電流値Ｉ’をアナログ信号からデジタル信号へと変換し、後段の正式判定回路に出力するものとなっている。本実施態様の雷サージ電流検出装置において、信号変換回路は、着脱ユニット側に設けているが、これに限定されず、本体側へ設けてもよい。信号変換回路を本体側へ設けて本体から電流値Ｉ’がデジタル信号で出力されるようにすると、着脱ユニットにアナログ入力用のコネクタを別途設ける必要がなくなる。信号変換回路には、フラッシュ型、パイプライン型、逐次比較型、デルタシグマ型、二重積分型など、各種のものを採用することができる。電流値Ｉ’は、サンプリング回路から常時出力されるのではなく、予備判定信号がサンプリング回路に入力されたときにのみ瞬間的に出力されるだけなので、変換速度は特に要求されない。また、電流値Ｉ’に高い分解能は要求されない。このため、信号変換回路は、逐次比較型で十分である。
【００２７】
６．正式判定回路
正式判定回路は、図１に示すように、閾値Ｉ２を保持している。この閾値Ｉ２は、後述する設定回路により入力された設定信号により変更できるものとなっている。正式判定回路は、サンプリング回路から信号変換回路を経て入力された電流値Ｉ’と閾値Ｉ２とを比較し、電流値Ｉ’が閾値Ｉ２以上である場合には、後段の処理回路へ正式判定信号と電流値Ｉ’を出力するようになっている。この正式判定信号は、誘導雷による雷サージ電流を検出している（雷サージ電流検出用電線に誘導雷に起因する雷サージ電流が流れている）ことを正式に認定するためのものとなっている。
【００２８】
閾値Ｉ２は、図２に示す雷サージ電流の波形に応じて決定する。具体的に閾値Ｉ２をどの程度に設定するのかは、電流センサの出力特性（入力電流（雷サージ電流検出用電線を流れる電流値）と電流センサの出力電流（電流値Ｉ）との関係）によっても異なり、特に限定されない。しかし、閾値Ｉ２を低くしすぎると、ノイズを拾いやすくなる可能性がある。このため、閾値Ｉ２（閾値Ｉ１と同スケール換算。すなわち入力電流（雷サージ電流検出用電線を流れる電流値）換算。以下同じ。）は、通常、５Ａ以上とされる。閾値Ｉ２は、１０Ａ以上であると好ましく、２０Ａ以上であるとより好ましい。一方、閾値Ｉ２を高くしすぎると、雷サージ電流の発生を見逃すおそれがある。このため、閾値Ｉ２は、通常、１００Ａ以下とされる。
【００２９】
７．処理回路
処理回路は、図１に示すように、正式判定回路から正式判定信号と電流値Ｉ’が入力される。処理回路は、正式判定信号が入力された時刻（雷サージ電流検出時刻）を検出するための時計回路を有しており、雷サージ電流検出時刻をそれぞれの雷サージ電流検出時刻における電流値Ｉ’に対応させることにより作成した雷サージ電流検出情報を記録回路へ出力する。正式判定信号が入力された回数（雷サージ電流検出回数）など、他の情報も記録回路に記録する場合には、これら他の情報の作成又は付与もこの処理回路で行うようにするとよい。また、後述する警報回路なども、この処理回路に設けるとよい。
【００３０】
８．記録回路
記録回路は、図１に示すように、処理回路から入力された雷サージ電流検出情報を記録するためのものとなっている。記録回路は、各種の情報記録回路を採用することができるが、通常、不揮発性（電力を供給しなくても記録を保持する性質）の情報記録回路が採用される。これにより、上述したように、サンプリング回路と、サンプリング回路よりも後段の回路に、電力が常時供給されないような構成とした場合であっても、雷サージ電流検出情報が消去されないようにすることが可能である。
【００３１】
９．設定回路
設定回路は、図１に示すように、正式判定回路や処理回路に各種の設定信号を出力し、正式判定回路や処理回路に保持される各種のパラメータの設定変更を行うためのものとなっている。設定回路には、図示省略の入力手段が接続される。入力手段は、着脱ユニットに接続したパソコンなどの外部機器を利用するものであってもよいが、着脱ユニットの筺体に設けたスイッチやボタンで設定変更できるようにしておくと、外部機器を利用することなく、その場で設定変更できるため好適である。
【００３２】
本実施態様の雷サージ電流検出装置においては、この設定回路によって、正式判定回路に保持される閾値Ｉ２を変更できるようにしているが、この閾値Ｉ２以外のパラメータを変更できるようにしてもよい。例えば、後述する警報回路に保持される各種パラメータ（警報出力を発生する目安となる期間など）も設定変更できるようにするとより好ましい。また、着脱ユニットに設けた特定のスイッチやボタンを操作すると、記録回路に記録された雷サージ電流検出情報がリセットされるようにすることもできる。さらに、着脱ユニットに設けた特定のスイッチやボタンを操作すると、雷サージ電流検出装置の計測モードが切り替わるようにすることもできる。例えば、サンプリング回路から出力された電流値Ｉ’が閾値Ｉ２を上回っているか否かにかかわらず、電流値Ｉ’を全て記録していく「全ログモード」に切り替わるようにしてもよい。
【００３３】
１０．表示回路
表示回路は、図１に示すように、記録回路から出力された雷サージ電流検出情報を表示するためのものとなっている。表示回路では、雷サージ電流検出情報だけでなく、雷サージ電流検出装置に設定された各種のパラメータ（閾値Ｉ２など）や、電源（電池）の状態など、他の情報を表示してもよい。表示回路には、図示省略の表示装置が接続される。接続する表示装置の種類は特に限定されないが、液晶表示装置のほか、７セグメント表示装置やドットマトリックス表示装置などが例示される。表示回路は、図示省略の表示スイッチが押されて表示要求信号などが入力されたときにのみ、雷サージ電流検出情報などの各種情報を表示するようにしてもよい。これにより、雷サージ電流検出装置の消費電力を抑えることが可能になる。
【００３４】
１１．コネクタ
コネクタは、図１に示すように、記録回路から出力された雷サージ電流検出情報を外部へ出力するためのものとなっている。このコネクタは、パソコンなどの各種外部機器に接続することができる。コネクタの種類は、接続対象とする外部機器に接続できるのであれば特に限定されない。本実施態様の雷サージ電流検出装置において、コネクタは、ＵＳＢコネクタとしている。これにより、着脱ユニットを、ＵＳＢメモリのようにパソコンへ直接接続することができる。このように、着脱ユニットを外部機器へ接続することが可能な構造とすることにより、雷サージ電流検出情報を外部機器に取り込んでグラフなどで表示して分析することなどが可能になる。コネクタからは、雷サージ電流検出情報だけでなく、他の情報も出力することができる。
【００３５】
１２．その他
本実施態様の雷サージ電流検出装置には、上述した回路以外にも様々な機能を持たせた回路を設けることができる。例えば、警報信号を出力するための警報回路（図示省略）を設けることもできる。この場合、警報信号の出力条件は限定されない。例えば、正式判定回路が正式判定信号を出力するたびに警報信号が出力されるようにしてもよいし、記録回路に保持された雷サージ電流検出回数が所定の閾値に達した場合に出力されるようにしてもよい。また、設定回路などで予め設定した期間（日数、週数、月数など）内における雷サージ電流検出回数の増加が所定の閾値に達した場合に出力されるようにすることもできる。さらに、電源（電池）の電圧が所定の電圧値を下回った場合に出力されるようにすることもできる。
【００３６】
また、本実施態様の雷サージ電流検出装置においては、雷サージ電流検出情報を外部機器へと無線送信する無線送信回路を設けることもできる。これにより、雷サージ電流検出装置の前まで直接足を運ぶことなく、記録回路に保持されている雷サージ電流検出情報を吸い上げることが可能になり、データ収集の手間を削減することが可能になる。例えば、雷サージ電流検出装置を高速道路沿いの無線中継局などに設置しているような場合には、道路を走りながらデータを収集することが可能になる。無線送信回路は、本体や着脱ユニットに内蔵してもよいが、雷サージ電流検出装置の本体や着脱ユニットに対して着脱可能な無線送信ユニットとすると好ましい。これにより、雷サージ電流検出装置の使用態様に応じて、使用者が雷サージ電流検出装置の構成を変更することが可能になる。
【００３７】
さらに、本実施態様の雷サージ電流検出装置においては、本体側だけでなく、着脱ユニット側にも電源を設けることもできる。この場合、着脱ユニットが本体と接続されている間は、本体側の電源で着脱ユニットにおける各回路へ電力を供給し、着脱ユニットが本体から取り外されている間にのみ、着脱ユニット側の電源で着脱ユニットにおける各回路へ電力を供給するようにすると好ましい。着脱ユニットは、持ち運びしやすいように小型化することが望まれ、着脱ユニット側の電源（電池）もできるだけ小さくすることが好ましいが、このように着脱ユニット側の電源として小さな電池を使用しても、その電池の消耗を抑えることができるからである。着脱ユニット側の電池の消耗状態は、上述した表示回路に表示したり、警報回路で出力したりしてもよい。
【図１】
2012026826.tif 000003
【図２】
2012026826.tif 000004